(57)【要約】【課題】着用した装着者に外部の音を明瞭に聴取させることができて装着者の作業の安全性を確保できる防護服を提供する。【解決手段】防護服１Ａは、少なくとも装着者１００の頭部を覆うフード１が設けられ、装着者１００の耳に対応する部分には、フード１の装着者１００の耳に対応する部分が、装着者１００の耳に近接するように配設される。【選択図】図１
2014043652.tif 000002
【特許請求の範囲】
【請求項１】
少なくとも装着者の頭部を覆う防護服本体部が設けられ、
該防護服本体部の前記装着者の耳に対応する部分が前記耳に当接または近接されて前記装着者が外部の音を聴取可能に形成されたことを特徴とする防護服。
【請求項２】
前記防護服本体部に対し、前記装着者の耳及び／又は前記装着者の耳の周囲に当接又は近接する方向の力を加え、前記防護服本体部を前記装着者の耳に当接又は近接させた状態を維持させる防護服本体部維持部材が配設されたことを特徴とする請求項１に記載の防護服。
【請求項３】
前記防護服本体部の前記装着者の耳に対応する部分の周囲には、前記防護服本体部の内部に伝達する騒音が前記装着者の耳に伝わることを遮蔽して前記装着者が前記防護服本体部の外部の音を聴取可能にするための遮蔽部材が設けられ、該遮蔽部材は前記装着者の耳の周囲に押し当てられるように配設されていることを特徴とする請求項１又は２に記載の防護服。
【請求項４】
前記遮蔽部材を前記装着者の耳の周囲に押し当てる耳元押圧部材が設けられ、
該耳元押圧部材は弾性を有する部材によって形成されて前記装着者の頭部の一部に配設され、前記耳元押圧部材の両端には前記遮蔽部材が配設されて、該遮蔽部材の内側には前記防護服本体部の前記装着者の耳に対応する部分が配設されたことを特徴とする請求項３に記載の防護服。
【請求項５】
前記遮蔽部材を前記装着者の耳の周囲に押し当てる耳元押圧部材が設けられ、
該耳元押圧部材は板状に形成された板状部材を備え、
該板状部材には前記遮蔽部材が配設され、
該遮蔽部材の内側に前記防護服本体部の前記装着者の耳に対応する部分が配設されて、
前記板状部材は、前記防護服本体部の内部にて前記装着者の顔面に装着される防護マスクの一部に配設されることを特徴とする請求項３に記載の防護服。
【請求項６】
前記遮蔽部材を前記装着者の耳の周囲に押し当てる耳元押圧部材が設けられ、
該耳元押圧部材は湾曲形成された湾曲部を有し、該湾曲部が前記防護服本体部の外側から前記装着者の耳介の根元に対応する位置に係止されることを特徴とする請求項３に記載の防護服。
【請求項７】
前記耳元押圧部材は前記防護服本体部に対して着脱可能に設けられていることを特徴とする請求項４乃至６の何れか一つに記載の防護服。
【請求項８】
前記防護服本体部の内部に空気を送気する送気装置、又は容器内の空気を導管を介して前記装着者に供給する呼吸器が設けられたことを特徴とする請求項１乃至７の何れか一つに記載の防護服。
【請求項９】
前記防護服本体部の前記装着者の口に対応する部分には口元開口部が開口形成されて、該口元開口部には、前記装着者の発話を外部に伝達させる口元膜部材が配設されたことを特徴とする請求項１乃至８の何れか一つに記載の防護服。
【請求項１０】
前記口元膜部材の外側に設けられると共に前記装着者の口の周囲に押し当てられて、前記口元膜部材を前記装着者の口に対応する部分に配設させる口元押圧部材が設けられたことを特徴とする請求項９に記載の防護服。
【発明の詳細な説明】
【技術分野】
【０００１】
本発明は、人体に有害な種々の物質や状態から装着者の身体を防護する目的で利用される防護服に関する。
【背景技術】
【０００２】
従来、防護服は、人体に有害なさまざまな物質や状態の中で作業を行う装着者の身体を防護するために用いられる。そして、装着者の身体を保護すべき物質や状態に応じ、さまざまな防護服、例えば、粉塵用防護服、飛来物用防護服、落下用防護服、電気作業用防護服、放射線用防護服、耐火用防護服、スズメバチ駆除用防護服等が存在する。
【０００３】
これらの防護服においては、防護服本体部は、装着者の身体を防護すべく、装着者の少なくとも頭部を覆う構成を有する。即ち、防護服の防護服本体部は、装着者の少なくとも頭部、例えば装着者の頭部と上半身を覆うフードや、装着者の頭部を覆うフードに連続し、装着者の身体全体を覆う身頃として構成される構成が知られている（例えば、特許文献１参照）。
【先行技術文献】
【特許文献】
【０００４】
【特許文献１】特開２００７−２９５１５０号公報
【発明の概要】
【発明が解決しようとする課題】
【０００５】
ここで、防護服の装着者が安全に作業を行うためには、防護服を着用した状態において、装着者が外部の音を聴取できる必要がある。しかし、特許文献１に記載の発明においては、装着者の頭部全体がフードに覆われた状態となり、フードの内部では外部の音がフードの素材を介して聴取されることになる。そして、特許文献１に記載の発明においては、使用時において、フードの装着者の耳に対応する部分は装着者の動作や、防護服の内部に空気を送気する送気装置の送気圧等によって耳から離間してしまい易い。そのため、特許文献１に記載の発明においては、防護服を着用したときに、装着者は、外部の音が聴き取りにくく、内部の雑音が聞こえやすい状況になりやすいという問題がある。この問題は、防護服の内部で送気装置を作動させた場合、送気装置の作動音及び送気音により防護服の内部の雑音が大きくなって、一層顕著なものとなる。
【０００６】
本発明はこのような問題に鑑みてなされたものであり、着用した装着者に外部の音を明瞭に聴取させることができて装着者の作業の安全性を確保できる防護服を提供することを課題としている。
【課題を解決するための手段】
【０００７】
かかる課題を達成するために、この発明が特徴とするのは、少なくとも装着者の頭部を覆う防護服本体部が設けられ、該防護服本体部の前記装着者の耳に対応する部分が前記耳に当接または近接されて前記装着者が外部の音を聴取可能に形成されたことである。
【０００８】
この発明の好ましい実施形態の一つにおいて、前記防護服本体部に対し、前記装着者の耳及び／又は前記装着者の耳の周囲に当接又は近接する方向の力を加え、前記防護服本体部を前記装着者の耳に当接又は近接させた状態を維持させる防護服本体部維持部材が配設されたものである。
【０００９】
この発明の好ましい実施形態の他の一つにおいて、前記防護服本体部の前記装着者の耳に対応する部分の周囲には、前記防護服本体部の内部に伝達する騒音が前記装着者の耳に伝わることを遮蔽して前記装着者が前記防護服本体部の外部の音を聴取可能にするための遮蔽部材が設けられ、該遮蔽部材は前記装着者の耳の周囲に押し当てられるように配設されている。
【００１０】
この発明の好ましい実施形態の更に他の一つにおいて、前記遮蔽部材を前記装着者の耳の周囲に押し当てる耳元押圧部材が設けられ、該耳元押圧部材は弾性を有する部材によって形成されて前記装着者の頭部の一部に配設され、前記耳元押圧部材の両端には前記遮蔽部材が配設されて、該遮蔽部材の内側には前記防護服本体部の前記装着者の耳に対応する部分が配設されたものである。
【００１１】
この発明の好ましい実施形態の更に他の一つにおいて、前記遮蔽部材を前記装着者の耳の周囲に押し当てる耳元押圧部材が設けられ、該耳元押圧部材は板状に形成された板状部材を備え、該板状部材には前記遮蔽部材が配設され、該遮蔽部材の内側に前記防護服本体部の前記装着者の耳に対応する部分が配設されて、前記板状部材は、前記防護服本体部の内部にて前記装着者の顔面に装着される防護マスクの一部に配設されるものである。
【００１２】
この発明の好ましい実施形態の更に他の一つにおいて、前記遮蔽部材を前記装着者の耳の周囲に押し当てる耳元押圧部材が設けられ、該耳元押圧部材は湾曲形成された湾曲部を有し、該湾曲部が前記防護服本体部の外側から前記装着者の耳介の根元に対応する位置に係止されるものである。
この発明の好ましい実施形態の更に他の一つにおいて、前記耳元押圧部材は前記防護服本体部に対して着脱可能に設けられているものである。
【００１３】
この発明の好ましい実施形態の更に他の一つにおいて、前記防護服本体部の内部に空気を送気する送気装置、又は容器内の空気を導管を介して前記装着者に供給する呼吸器が設けられたものである。
【００１４】
この発明の好ましい実施形態の更に他の一つにおいて、前記防護服本体部の前記装着者の口に対応する部分には口元開口部が開口形成されて、該口元開口部には、前記装着者の発話を外部に伝達させる口元膜部材が配設されたものである。
【００１５】
この発明の好ましい実施形態の更に他の一つにおいて、前記口元膜部材の外側に設けられると共に前記装着者の口の周囲に押し当てられて、前記口元膜部材を前記装着者の口に対応する部分に配設させる口元押圧部材が設けられたものである。
【発明の効果】
【００１６】
この発明に係る防護服では、防護服本体部の装着者の耳に対応する部分が、装着者の耳に当接又は近接するように配設されていることにより、装着者にとって、防護服の外部の音が聴き取りやすい状態を形成できる。これにより、防護服を着用した装着者に外部の音を明瞭に聴取させることができて装着者の作業の安全性を確保することができる。
【００１７】
また、防護服本体部維持部材によって、防護服本体部に対し、装着者の耳及び／又は装着者の耳の周囲に当接又は近接する方向の力を加え、防護服本体部を装着者の耳に当接又は近接させた状態を維持させることにより、防護服の使用状態の如何に拘わらず、防護服本体部が装着者の耳に当接又は近接された状態を維持させることができる。そのため、例えば防護服本体部の内部に送気装置による送気が行われることで、防護服本体部が装着者の耳から離間しやすい状態が形成されたりした場合であっても、防護服本体部が装着者の耳に当接又は近接し、装着者が外部の音を聴取しやすい状態が維持される。これにより、防護服を着用した装着者に外部の音を一層明瞭に聴取させることができる。
【００１８】
また、装着者の耳に対応する部分の周囲に遮蔽部材が設けられ、この遮蔽部材が装着者の耳の周囲に押し当てられるように配設されていることにより、装着者の耳の周囲に遮蔽部材が密着した状態を形成する。この状態で、防護服本体部の内部は、遮蔽部材によって装着者の耳に対応する部分に対して遮蔽された状態となるので、防護服本体部の内部に伝達する騒音は、装着者の耳に聴取されにくくなる。そのため、装着者にとって、防護服本体部の内部の騒音に比して、防護服の外部の音が相対的に聴き取りやすい状態が形成される。これにより、防護服を着用した装着者に外部の音を一層明瞭に聴取させることができる。
【００１９】
また、遮蔽部材を装着者の耳の周囲に押し当てる耳元押圧部材により、遮蔽部材を確実に装着者の耳元に押し当てて、装着者が外部の音を聞き取りやすい状態を確実に形成できる。また、耳元押圧部材は弾性を有する部材によって形成されて装着者の頭部の一部に配設され、耳元押圧部材の両端には遮蔽部材が配設されて、遮蔽部材の内側には防護服本体部の装着者の耳に対応する部分が設けられていることにより、耳元押圧部材を装着者の頭部の一部に配設すれば、防護服本体部の装着者の耳に対応する部分が装着者の耳に当接又は近接すると共に、装着者の耳の周囲に耳元押圧部材が配設された状態を簡易かつ確実に形成できる。これにより、防護服を着用した装着者に外部の音を一層明瞭に聴取させることができる。
【００２０】
また、遮蔽部材を装着者の耳の周囲に押し当てる耳元押圧部材により、遮蔽部材を確実に装着者の耳元に押し当てて、装着者が外部の音を聞き取りやすい状態を確実に形成できる。また、耳元押圧部材は板状に形成された板状部材を備え、板状部材には遮蔽部材が配設され、遮蔽部材の内側には防護服本体部の装着者の耳に対応する部分が配設されて、板状部材は、防護服本体部の内部にて装着者の顔面に装着される防護マスクの一部に配設されることにより、板状部材を防護マスクに取り付けて防護マスクと共に装着者の頭部に装着すれば、防護服本体部の装着者の耳に対応する部分が装着者の耳に当接又は近接すると共に、装着者の耳の周囲に遮蔽部材が配設された状態を簡易かつ確実に形成できる。これにより、防護マスクと共に使用される防護服を着用した装着者に外部の音を一層明瞭に聴取させることができる。
【００２１】
また、遮蔽部材を装着者の耳の周囲に押し当てる耳元押圧部材により、遮蔽部材を確実に装着者の耳元に押し当てて、装着者が外部の音を聞き取りやすい状態を確実に形成できる。また、耳元押圧部材は湾曲形成された湾曲部を有し、湾曲部が防護服本体部の外側から装着者の耳介の根元に対応する位置に係止されることにより、装着者が防護服本体部を装着した後に、防護服本体部の外側から耳元押圧部材の湾曲部を装着者の耳介の根元に対応する位置に係止させることで、防護服本体部の装着者の耳に対応する部分が装着者の耳に当接又は近接した状態を容易に形成できる。これにより、防護服を着用した装着者に外部の音を一層明瞭に聴取させることができる。
【００２２】
また、耳元押圧部材は防護服本体部に対して着脱可能に設けられていることにより、防護服の使用時には耳元押圧部材を防護服本体部に装着させて使用状態を安定させると共に、不使用時における耳元押圧部材のメンテナンス性を高めたり、破損時の交換を容易に行わせることができる。
【００２３】
また、防護服本体部の内部に送気装置又は呼吸器が設けられたことにより、防護服の装着者の防護服本体部の内部での呼吸を確保しつつ、防護服を着用した装着者に外部の音を明瞭に聴取させることができる。
【００２４】
また、防護服本体部の装着者の口に対応する部分に開口形成された口元開口部には、装着者の発話を外部に伝達させる口元膜部材が配設されたことにより、装着者の発話を防護服の明瞭に外部に伝達させることができ、装着者の安全性を高めることができる。
【００２５】
また、口元膜部材の外側に設けられると共に前記装着者の口の周囲に押し当てられて、口元膜部材を装着者の口に対応する部分に配設させる口元押圧部材が設けられたことにより、防護服の使用時において、口元膜部材が装着者の口に対応する部分に配設され、装着者の発話を一層明瞭に外部に伝達させることができる。
【図面の簡単な説明】
【００２６】
【図１】この発明の実施の形態１に係る防護服を、装着者が装着した状態を示す図である。
【図２】同上の防護服を、装着者が装着した状態を示す図である。
【図３】同上の防護服を、装着者が装着した状態を示す部分断面図である。
【図４】同上の防護服を、装着者が装着した状態を示す部分断面図である。
【図５】同上の防護服に用いられる聴取用ユニットを示す図である。
【図６】同上の防護服に用いられる聴取用ユニットを装着者が装着した状態を示す図である。
【図７】同上の防護服におけるフードに対し、聴取用ユニットが配設される前の状態を示す図である。
【図８】この発明の実施の形態２の防護服に用いられる聴取用ユニットを示す図である。
【図９】同上の防護服に用いられる防護マスクと聴取用ユニットを装着者が装着した状態を示す図である。
【図１０】この発明の実施の形態３の防護服における、耳元押圧部材を装着する前の状態を示す図である。
【図１１】同上の防護服における、耳元押圧部材を装着した状態を示す図である。
【図１２】この発明の実施の形態４の防護服における、装着者が防護服を装着した状態を示す図である。
【図１３】同上の防護服に用いられる口元膜部材アダプタ部の、（ａ）第一の例を示す図である。（ｂ）第二の例を示す図である。
【図１４】同上の防護服における、装着者が防護服を装着した状態を示す図である。
【発明を実施するための形態】
【００２７】
［発明の実施の形態１］
図１乃至図７に、この発明の実施の形態を示す。
まず構成を説明すると、図１に示す、この実施の形態１の防護服１Ａは、いわゆるフード型防護服である。
【００２８】
図１等に示す、この実施の形態１の防護服１Aは、ここでは、装着者１００の頭部と上半身の一部を有毒な化学品、例えば有毒な薬液の飛沫や有毒ガスから防護するための、いわゆる化学防護服を示している。
【００２９】
図１及び図２に示す、この実施の形態の防護服１Ａは、「防護服本体部」としてのフード１と、「防護服本体部維持部材」「遮蔽部材」及び「耳元押圧部材」としての聴取用ユニット２とを備えている。なお、この実施の形態１においては、防護服１Aが送気装置３を更に備えた構成となっている。また、この実施の形態１においては、装着者１００が防護マスク４を更に装着した構成となっている。
この実施の形態１のフード１は、被服体部５を有する。
【００３０】
図１及び図２に示す、フード１の被服体部５は、例えば高密度ポリエチレンの不織布、フッ素樹脂シート等によって形成されている。但し、被服体部５は、柔軟性があり防塵性、液密性の高い素材であればどのような素材で形成されていてもよい。被服体部５は、防塵性、液密性を保ちつつ、装着者１００が頭に被った際に外部の音を良好に聴取できる厚さに形成される。被服体部５の好ましい厚さは材質により相違する。例えば被服体部５が高密度ポリエチレンの不織布で形成される場合、０．２０ｍｍ未満の厚さが望ましい。また例えば、被服体部５がフッ素樹脂シート（例えばポリテトラフルオロエチレン製のシート）で形成される場合、０．０４ｍｍ未満の厚さが望ましい。
【００３１】
被服体部５は、図２に示す通り、装着者１００の耳１０１に対応する部分も含めた頭部全体と、首の周囲、及び、肩及び胸の周りにかけての上半身を覆う。
【００３２】
フード１の、装着者１００の顔に対応する部分には前面開口部６が開口形成されている。この前面開口部６からは、装着者１００の目、鼻、口が外部に露出する。
【００３３】
被服体部５の内側の、装着者１００の両方の耳１０１の周囲に対応する部分には、図７に示すように、それぞれ、耳元用面ファスナ７が配設されている。この耳元用面ファスナ７は、面ファスナの雄体又は雌体であって、後述する聴取用ユニット２に設けられた耳元用面ファスナ１３と対をなしている。
【００３４】
被服体部５の内側の、装着者１００の頭頂部に対応する部分には、図７に示すように、頭部用面ファスナ８が配設されている。この頭部用面ファスナ８は面ファスナの雄体又は雌体であって、後述する、聴取用ユニット２の頭頂側バンド部１１が当接される位置に配設され、頭頂側バンド部１１に設けられた頭部用面ファスナ１６と対をなしている。
【００３５】
聴取用ユニット２は、図５に示す通り、耳元押圧部材９、遮蔽部材１０、頭頂側バンド部１１を備えている。
【００３６】
図５に示す、耳元押圧部材９は、例えばアクリル樹脂等、弾性と剛性を有する材質によって形成される。図５に示す通り、耳元押圧部材９は、板状の部材の中央部が湾曲されて略Ｕ字形に形成されている。耳元押圧部材９は、両端部が離間方向及び近接方向に弾性変形する。そして耳元押圧部材９を装着者１００の頭部に配設した際は、図６に示すように、弾力によって両端部が装着者１００の頭部を挟持した状態となる。これにより、装着者１００が聴取用ユニット２とフード１とを装着したとき、フード１の装着者１００の耳１０１に対応する部分が、装着者１００の耳１０１に近接した状態が維持されることになる。
【００３７】
図５に示す通り、耳元押圧部材９の両端部近傍には、それぞれ、聴取用開口部１２が開口形成されている。この聴取用開口部１２は、内部に装着者１００の耳１０１が収容される程度の大きさに形成されている。この聴取用開口部１２には、フード１の、装着者１００の耳に対応する部分が配設される。
【００３８】
図５、図７に示す通り、聴取用開口部１２の周囲には、遮蔽部材１０が配設されている。遮蔽部材１０は、弾性と遮音性に優れた材質、例えば発泡ポリウレタンを代表とする発泡合成樹脂、発泡ゴム等によって形成されている。但し、遮音性のある材質ならば、どのような材質で形成されていてもよい。そして、図６に示すように、耳元押圧部材９が装着者１００の頭部に配設された状態において、図４に示すように、遮蔽部材１０は装着者１００の耳１０１の周囲に押し当てられた状態となる。
【００３９】
なお、この実施の形態１においては、図７に示すように、遮蔽部材１０は耳元押圧部材９の周囲全域にわたって設けられているが、図４及び図６に示すように装着者１００の耳１０１に配設されたとき、フード１の内部に伝達する騒音（フード１の内部で発生した騒音、及び／又は、フード１の外部で発生してフード１の内部に伝導された騒音のこと。例えば送気装置３の作動音や送気音など。）が装着者１００の耳１０１に入ることを遮蔽できる構成であれば、遮蔽部材１０が耳元押圧部材９の周囲の一部のみに配設された構成であってもよい。
【００４０】
図５，図７に示す通り、耳元押圧部材９の外側であって聴取用開口部１２の近傍には、耳元用面ファスナ１３が配設されている。耳元用面ファスナ１３は、フード１の内部の耳元用面ファスナ７に接合可能に形成されている。
【００４１】
図５に示す通り、耳元押圧部材９の一側側（図５における上側）には、頭頂側バンド部１１が設けられている。この頭頂側バンド部１１は、耳元押圧部材９の両端部にわたって接続された側方バンド部１４と、耳元押圧部材９の中央部と側方バンド部１４の略中央部とに接続された後方バンド部１５とから成る。側方バンド部１４の略中央部には、頭部用面ファスナ１６が配設されている。この頭部用面ファスナ１６は、被服体部５の内側に設けられた頭部用面ファスナ８に接合可能に形成されている。
【００４２】
頭頂側バンド部１１は、聴取用ユニット２の耳元押圧部材９を装着者１００の頭部に配設した際に、耳元押圧部材９が装着者１００の頭部からずり落ちないようにするためのものである。そして、耳元押圧部材９が装着者１００の頭部からずり落ちないようにできる構成であれば、側方バンド部１４と後方バンド部１５とから成る構成以外のどのような構成であってもよい。
【００４３】
図１及び図２に示す通り、フード１の内部には送気装置３が設けられている。この送気装置３は、空気清浄機能と吸気・送気機能とを有し、フード１の外部の空気を吸気してフィルタ等により煤煙やほこりの除去を行い、清浄化された空気をフード１の内部に送気することで、装着者１００に清浄化された空気を供給する。但し、この実施の形態１において、送気装置３はフード１内に送気してフード１内を冷却するために用いられる。
【００４４】
防護マスク４は、装着者１００の顔面や呼吸系統が煤煙や毒物に冒されないように設けられる。図３に示すように、この実施の形態１の防護マスク４は、面体等がいわゆる全面型で、フィルタ（図示せず）を透過する空気を送気する動力を有するタイプのろ過式である。
【００４５】
図３に示す通り、この実施の形態１の防護マスク４は、装着者１００の顔面を覆うマスク本体部１７と、マスク本体部１７を装着者の顔面に固定させる一対のゴムバンド１８，１８を備えている。マスク本体部１７は、装着者１００の両目に対応する部分に設けられた、視界を確保するための窓部１９と、装着者１００の口元に対応する部分に設けられた「送気装置」としての送気部２０とを備える。
窓部１９は、軟質塩化ビニル、ポリカーボネート、アクリル等の樹脂、ガラス等の透明又は半透明の部材によって形成され、装着者１００の視界を確保する。
【００４６】
送気部２０は、吸気口２１の内部に設けられたファンユニット（図示せず）とフィルタ２１ａとファンユニット（図示せず）のオンオフ用のスイッチ（図示せず）とを備え、吸気口２１からフード１の外部の空気を吸気してフィルタ２１ａで煤煙やほこり毒物を除去し、ファンユニット（図示せず）で清浄化された空気をマスク本体部１７の内部に送気する。
【００４７】
また、フード１が顔面部に開口をもたず、透明な素材で覆われている場合においては、送気装置３で清浄化されて送気された空気を装着者１００は吸うこととなる。この場合においては、装着者１００は必ずしも防護マスク４を必要としない。
次に、この実施の形態１の作用について説明する。
【００４８】
まず、防護服１Ａを装着する装着者１００は、図３に示すように、防護マスク４を頭部に装着し、さらに、聴取用ユニット２を頭部に装着する。このとき、図６に示すように、耳元押圧部材９を、両端を両耳側に、側頭部を経て中央部が後頭部側に配設された状態とする。また、側方バンド部１４が側頭部から頭頂部にわたって配設された状態とすると共に、後方バンド部１５が後頭部から頭頂部にわたって配設された状態とする。そして、遮蔽部材１０が装着者１００の耳１０１の周囲に配設された状態とする。
【００４９】
これにより、耳元押圧部材９が装着者の頭部に配設されて固定された状態が形成され、また、耳元押圧部材９が装着者１００の頭部からずり落ちることが抑止される。また、この状態で、図４に示す通り、耳元押圧部材９の弾性力によって遮蔽部材１０が装着者１００の耳１０１の周囲に押し当てられた状態となる。
【００５０】
次に、装着者１００は、フード１を頭から被る。そして、図７に示すように、フード１の内部の頭部用面ファスナ８と頭頂側バンド部１１の頭部用面ファスナ１６とを結合させる。これにより、フード１と聴取用ユニット２とが接続される。さらに、図４に示す通り、聴取用開口部１２の周囲に配設された耳元用面ファスナ１３とフード１の内部の耳元用面ファスナ７とを結合させる。これにより、フード１の装着者１００の耳１０１に対応する部分の周囲と聴取用ユニット２とが接続される。これにより、防護服１Aの装着が完了する。
【００５１】
装着者１００は、防護マスク４の送気部２０のスイッチ（図示せず）をオンにしてファンユニット（図示せず）を作動させてマスク本体部１７の内部に清浄化された空気を送気する。更に、装着者１００は、送気装置３のスイッチ（図示せず）をオンにし、フード１の内部を冷却する。この状態で、装着者１００は作業を行う。
【００５２】
ここで、装着者１００が防護服１Ａを装着した状態において、フード１の装着者１００の耳１０１に対応する部分の周囲と聴取用ユニット２とが接合される。そして、聴取用開口部１２の内部には、フード１の、装着者１００の耳１０１に対応する部分が配設される。そのため、フード１の装着者１００の耳１０１に対応する部分は、聴取用開口部１２に面した状態となる。そして、フード１の装着者の耳１０１に対応する部分は、装着者１００の耳１０１に近接して配置された状態となる。これにより、装着者１００にとって、防護服１Ａの外部の音が聴き取りやすい状態を形成できる。
【００５３】
また、特に送気装置３による送気が行われた場合等においては、フード１は外側に膨らんで装着者１００の耳１０１から離間した状態が形成され易くなる。しかし、この実施の形態１の防護服１Ａにおいては、耳元用面ファスナ１３，７同士が結合することでフード１と聴取用ユニット２が接続され、聴取用ユニット２は耳元押圧部材９によって頭部方向に押圧されている。そのため、たとえフード１が外側に膨らんでも、フード１の装着者１００の耳１０１に対応する部分が、装着者１００の耳１０１に当接又は近接するように配設された状態が維持される。そのため、装着者１００にとって、防護服１Ａの外部の音が聴き取りやすい状態を形成できる。これにより、装着者１００は、防護服１Ａを装着した状態において、フード１の装着者１００の耳１０１に対応する部分を介して外部の音を聴取できる。
【００５４】
一方、送気装置３が作動すると、モータの回転音や空気を送気する音等はフード１に反響して、フード１内の大きな騒音となる。しかし、この実施の形態１の防護服１Ａにおいては、装着者１００の耳１０１の周囲に遮蔽部材１０が設けられ、この遮蔽部材１０が耳元押圧部材９によって装着者１００の耳１０１の周囲に押し当てられるように配設されている。そのため、装着者１００の耳１０１の周囲に遮蔽部材１０が密着した状態が形成される。この状態で、フード１の内部は、遮蔽部材１０によって装着者１００の耳１０１に対応する部分に対して遮蔽された状態となる。従って、送気装置３等によりフード１の内部に伝達された騒音は、遮蔽部材１０によって、装着者１００の耳１０１に聴取されにくくなる。そのため、装着者１００にとって、フード１の装着者１００の耳１０１に対応する部分を介して防護服１Ａの外部の音を一層聴き取りやすい状態が形成されることになる。
【００５５】
また、装着者１００の頭部には、遮蔽部材１０を装着者１００の耳１０１の周囲に押し当てる耳元押圧部材９が配設されていることにより、遮蔽部材１０を確実に装着者１００の耳元に押し当てて、装着者１００が外部の音を聞き取りやすい状態を確実に形成できる。また、耳元押圧部材９は弾性を有する部材によって略Ｕ字形に形成されて装着者１００の頭部の一部に配設され、耳元押圧部材９の両端には遮蔽部材１０が配設されて、遮蔽部材１０の内側にはフード１の装着者１００の耳１０１に対応する部分が設けられていることにより、耳元押圧部材９を装着者１００の頭部の一部に配設すれば、フード１の装着者１００の耳１０１に対応する部分が装着者１００の耳１０１に近接すると共に、装着者１００の耳１０１の周囲に遮蔽部材１０が配設された状態を簡易かつ確実に形成できる。
【００５６】
以上示した通り、この実施の形態１においては、防護服１Ａを着用した装着者１００が外部の音を明瞭に聴取させることができて作業の安全性を確保することができる。
【００５７】
なお、この実施の形態１においては、聴取用ユニット２に耳元用面ファスナ１３を設け、フード１の内側に耳元用面ファスナ７を設けて耳元用面ファスナ１３同士を結合させ、聴取用ユニット２の耳元押圧部材９を装着者１００の頭部に取り付けてフード１の装着者１００の耳１０１に対応する部分を装着者１００の耳１０１に近接させる構成としたが、これに限定されず、フード１の装着者１００の耳１０１に対応する部分を装着者１００の耳１０１に近接させることができることができれば、どのような構成であってもよい。具体的には、例えば耳元押圧部材９に両面テープを配設し、この両面テープをフード１の内側に貼り付けてフード１の装着者１００の耳１０１に対応する部分を装着者の耳１０１に近接させる構成としてもよい。また例えば、耳元押圧部材９とフード１の内側の装着者１００の耳１０１に対応する部分とにそれぞれスナップボタン等の止め具を配設する等、フード１の装着者１００の耳１０１に対応する部分を装着者１００の耳１０１に近接させる構成としてもよい。
【００５８】
また、フード１の装着者１００の耳１０１に対応する部分を装着者１００の耳１０１に近接させる構成に代えて、例えば耳元押圧部材９をフード１の外部から装着者１００の頭部に対応する位置に配設する等により、フード１の装着者１００の耳１０１に対応する部分を装着者１００の耳１０１に当接させる構成であってもよい。
【００５９】
また、この実施の形態１においては、聴取用ユニット２に頭頂側バンド部１１を設け、耳元押圧部材９を装着者１００の頭部からずり落ちないように構成したが、例えば耳元押圧部材９を装着者１００の頭頂側を経て両方の耳元に配設する構成とする等、頭頂側バンド部１１を設けずに装着者１００の頭部から耳元押圧部材９がずり落ちないように構成してもよい。また、頭頂側バンド部１１、及びフード１の内側に頭部用面ファスナ１６，８をそれぞれ設けない構成としてもよい。更に、この実施の形態１と同様に装着者１００の頭部に配設する耳元押圧部材９において、頭頂側バンド部１１を設けない構成としてもよい。
【００６０】
また、この実施の形態１においては、防護服１Ａに耳元押圧部材９と遮蔽部材１０とを設けた構成としたが、耳元押圧部材９と遮蔽部材１０とのうち一方又は他方を設けない構成としてもよい。ただしその場合も、防護服１Ａの使用時にフード１の装着者１００の耳１０１に対応する部分を装着者１００の耳１０１に近接又は当接させる構成を備える。
【００６１】
また、この実施の形態１においては、装着者１００が防護マスク４を装着する構成としたが、装着者１００が防護マスク４を装着しない構成であってもよい。
【００６２】
なお、この実施の形態１において、防護服１Ａはいわゆる化学防護服としたが、防護服１Aとしては、これ以外にも、例えば、アスベスト等の粉塵や煤煙から装着者１００の身体を防護する粉塵用防護服、銃弾や爆発による破片や落下物等から装着者１００の身体を防護する飛来物用防護服、落下事故における着地の衝撃から装着者１００の身体を防護する落下用防護服、電気作業時の感電事故から装着者１００の身体を防護する電気作業用防護服、放射線から装着者１００の身体を防護する放射線用防護服、炎や高熱から装着者１００の身体を防護する耐火用防護服、スズメバチの毒針から装着者１００の身体を防護するスズメバチ駆除用防護服等、様々な用途に用いられるものであってもよい（以下に示す各実施の形態においても同じ）。
【００６３】
また、この実施の形態１のフード１の被服体部５は、軟質塩化ビニル、高密度ポリエチレンの不織布、フッ素樹脂シート等によって形成される構成としたが、防護服１Ａが化学防護服以外の用途に用いられる場合、被服体部５は、その用途に応じ、上記以外の材質で形成されていてもよい（以下に示す各実施の形態においても同じ）。
【００６４】
また、この実施の形態１のフード１の被服体部５は、装着者１００の頭部を覆うものであれば、さらに、頭部以外の身体のどの部分を覆うものであってもよいし、装着者１００の顔に対応する部分等、頭部の一部に対応する部分に一又は複数の開口部が開口形成されていてもよい（以下に示す各実施の形態において同じ）。
【００６５】
この実施の形態１の防護服１Ａのフード１は、被服体部５を有し、装着者１００の顔に対応する部分に前面開口部６が開口形成された構成としたが、前面開口部６に替えて、装着者１００の両目に対応する位置に、透明又は半透明の部材で形成された窓部が配設された構成としてもよい（以下に示す各実施の形態において同じ）。
【００６６】
また、この実施の形態１の防護服１Ａの「防護服本体部」は、フード１のみで構成されたものとしたが、これ以外の構成、例えば、防護服１Ａの「防護服本体部」が、フード１と、フード１に連続して装着者１００の少なくとも胴体（例えば胴体のみ、胴体と両腕、胴体と両腕と両脚）を保護する身頃（図示せず）とを備えた構成であってもよい（以下に示す各実施の形態において同じ）。
【００６７】
また、この実施の形態１の聴取用ユニット２と被服体部５の内側とを接合させる構成は、面ファスナ１３，７によるものとしたが、面ファスナ１３，７以外のいかなる構成であってもよい。具体的には、例えば、聴取用ユニット２と被服体部５の内側とのうち、一方にボタンの嵌合体、他方にボタンの被嵌合体を設ける構成でもよい。また、一方に雄ねじ体、他方に雌ねじ体を設ける構成でもよい。また、双方にスライドファスナーのエレメントを設けて嵌合させる構成でもよい。また、一方にスリットを開口形成し、他方に設けたベルトを挿通させる構成でもよい。また、一方に設けた被係止部に他方に設けたフックを係止させる構成でもよい。また、被服体部５に設けたゴム等の絞りにより押さえつける構成でもよい。また被服体部５の外側から、聴取用ユニット２に対応する位置をゴム紐（図示せず）等で押さえつける構成でもよい（以下に示す各実施の形態において同じ）。
【００６８】
また、この実施の形態１の頭頂側バンド部１１と被服体部５の内側とを接合させる構成は、上述の、聴取用ユニット２と被服体部５とを接合させる構成と同様、いかなる構成であってもよい（以下に示す各実施の形態において同じ）。
【００６９】
また、この実施の形態１の耳元押圧部材９は略Ｕ字型としたが、装着者１００が聴取用ユニット２とフード１とを装着した際にフード１の装着者１００の耳に対応する部分が装着者１００の耳１０１に近接した状態を維持できるものであれば、図５に示す略Ｕ字型以外のどのような形状であってもよい。例えば、耳元押圧部材９が装着者１００の頭部の側部の周囲を囲繞するヘッドバンドのような形状であってもよいし、頭部上部を覆う椀型であってもよい（以下に示す各実施の形態において同じ）。
【００７０】
また、この実施の形態１の送気装置３は、防護服１Ａの一部に電動送風機が設けられ、この電動送風機から送風された空気がフード１の内部の筒状の送気口から送気される構成となっている。ただし、送気装置３は、この構成も含む、いかなる構成であってもよい（以下に示す各実施の形態において同じ）。例えば、装着者１００が背中に背負うボンベから、ホースを介してフード１の内部又は防護マスク４の面体の内部に送気される構成であってもよい。また、防護服１Ａとは別に設けられたコンプレッサ等の電動送風機によって圧気された空気がホースによってフード１の内部や防護マスク４の面体の内部に送気される構成であってもよい。また、防護マスク４の一部に電動送風機が設けられ、防護マスク４の面体の内部に送気される構成であってもよい（以下に示す各実施の形態において同じ）。
【００７１】
また、この実施の形態１の防護マスク４は、面体等がいわゆる全面型で、フィルタ（図示せず）を透過する空気を送気する動力を有するタイプのろ過式としたが、装着者１００の呼吸を確保できるものであれば、他のいかなる構成であってもよい。例えば、防護マスク４の面体等は全面型以外の構成、例えば半面型やフェイスシールド形であってもよい。また、防護マスク４は、動力を有しないろ過式であってもよい。更に、防護マスク４は、ろ過式でなく、送気マスク、エアラインマスク、自給式呼吸器等を備えた、いわゆる給気式であってもよい。
【００７２】
また、この実施の形態１においては、装着者１００が、全面型の防護マスク４を被った上から、顔面に対応する部分に前面開口部６が開口形成されたフード１を有する防護服１Ａを被って装着する態様を示したが、装着者１００が、上記以外の態様の防護服や防護マスクを装着したり、防護服や防護マスクを上記以外の態様で装着してもよい（以下に示す各実施の形態において同じ）。具体的には、例えば、装着者１００が防護マスクを被らずに防護服を装着する構成でもよい。また例えば、装着者１００が全面型以外（例えば半面型）の防護マスクを被った上から防護服を被って装着する態様でもよい。また例えば、装着者１００が防護マスクを着用した上から、装着者１００の顔面に対応する部分に前面開口部が開口形成されていない防護服を被って装着し、防護服の内部で防護マスクを使用する態様でもよい。
【００７３】
［発明の実施の形態２］
図８及び図９に、この発明の実施の形態２を示す。
【００７４】
図９に示す、この実施の形態２の防護服１Ｂは、実施の形態１の防護服１Ａの聴取用ユニット２に代えて、図８に示す「防護服本体部維持部材」としての聴取用ユニット３１を有する。この聴取用ユニット３１は、「耳元押圧部材」を構成する板状部材３２、遮蔽部材３３とを備えている。なお、この実施の形態２においては、発明の実施の形態１でも用いた防護マスク４のゴムバンド１８も「耳元押圧部材」として用いる。
【００７５】
図８に示す、この実施の形態２の板状部材３２は、剛性のある材質、例えばアクリル等で形成されている。この実施の形態２の板状部材３２は、前端側（図９に示す左側）から後端側（図８に示す右側）にかけて幅方向大きさ（図８に示す上下方向の大きさ）が収束した略三角形に形成されているが、装着者１００の側頭部に容易に配設できる形状であれば、どのような形状であってもよい。後述するように、板状部材３２の前端側は装着者１００の側頭部前側に配設され、後端側は装着者１００の側頭部後側に配設される。
【００７６】
板状部材３２の前端側には、一対の挿通用孔部３４，３４が開口形成されている。この挿通用孔部３４，３４には図９に示す防護マスク４の一対のゴムバンド１８，１８が挿通される。板状部材３２の後端側には、一対の被押圧用凸部３５，３５が幅方向に突設されている。被押圧用凸部３５は、装着時に、防護マスク４のゴムバンド１８，１８によって装着者１００の頭部方向に板状部材３２を押圧させる機能を有する。
【００７７】
板状部材３２の略中央部には、略円形の聴取用開口部３６が開口形成されている。この聴取用開口部３６は、内部に装着者１００の耳１０１が収容される程度の大きさに形成されている。この聴取用開口部３６には、フード１の、装着者１００の耳１０１に対応する部分が配設される。
【００７８】
板状部材３２の内面側（図８における表面側）における、聴取用開口部３６の周囲の３方向には、遮蔽部材３３が略「コ」の字状に配設されている。この遮蔽部材３３は、実施の形態１の遮蔽部材１０と同様の材質で形成され、遮蔽部材１０と同様の機能を有する。
【００７９】
板状部材３２の外面側（図８における裏面側）における、聴取用開口部３６の近傍には、耳元用面ファスナ３７が配設されている。この耳元用面ファスナ３７は、フード１の内部の耳元用面ファスナ７（図７参照）に接合可能に形成されている。それ以外の構成は実施の形態１と同じである。
次に、この実施の形態２の作用について説明する。
【００８０】
この実施の形態２の防護服１Ｂにおいては、図９に示す通り、一対の板状部材３２，３２を、それぞれ、内面側の遮蔽部材３３が内側にくるようにして、防護マスク４の左右側に取り付ける。具体的には、板状部材３２の前端部側が防護マスク４のマスク本体部１７の側部に当接するようにして、それぞれの挿通用孔部３４に防護マスク４のゴムバンド１８を挿通させる。
【００８１】
この状態で、装着者１００は防護マスク４を頭部に装着させる。すると、図９に示すように、聴取用ユニット３１が装着者１００の側頭部に配設された状態となる。このとき、板状部材３２の被押圧用凸部３５は、それぞれ、防護マスク４のゴムバンド１８によって装着者１００の頭部側に押圧される。これにより、板状部材３２は装着者１００の側頭部に押圧された状態となる。この状態で、遮蔽部材３３は装着者１００の耳１０１の周囲に押し当てられた状態となり、聴取用開口部３６の内側に装着者１００の耳１０１が位置する状態となる。
【００８２】
この状態で、装着者１００がフード１を被り、板状部材３２の耳元用面ファスナ３７とフード１の内側の耳元用面ファスナ７とを結合させる。すると、聴取用開口部３６の内部には、フード１の、装着者１００の耳１０１に対応する部分が配設される。ここで、板状部材３２の装着者の耳に対応する位置には聴取用開口部３６が開口が形成されている。そのため、フード１の装着者１００の耳１０１に対応する部分は聴取用開口部３６に近接して配置された状態となる。これにより、装着者にとって、防護服の外部の音が聴き取りやすい状態を形成できる。
【００８３】
即ち、この実施の形態２においては、板状部材３２を防護マスク４に取り付けて防護マスク４と共に装着者１００の頭部に装着することで、装着者１００の耳１０１の周囲に「耳元押圧部材」としての板状部材３２及びゴムバンド１８が配設されて、遮蔽部材３３を装着者１００の耳１０１の周囲に押圧させた状態を簡易かつ確実に形成できる。また、板状部材３２の耳元用面ファスナ３７とフード１の耳元用面ファスナ７とを結合させることで、フード１の装着者１００の耳１０１に対応する部分を装着者１００の耳１０１に近接させた状態を容易に形成できる。また、これにより、防護マスク４と共に使用される防護服１Ｂを着用した装着者１００が外部の音を一層明瞭に聴取できる。
【００８４】
なお、この実施の形態２においては、「耳元押圧部材」の一部として防護マスク４のゴムバンド１８を用いたが、これに限定されず、ゴムバンド１８に代えて、板状部材３２を装着者１００の頭部に押圧させるための、どのような構成を用いてもよい。
【００８５】
なお、この実施の形態２においては、遮蔽部材３３は略「コ」の字型に形成しているが、板状部材３２を装着者１００の側頭部に取り付けられ、フード１（図１参照）の内部に伝達された騒音を装着者１００の耳に対応する部分に対して遮蔽された状態にできる構成ならば、どのような形状に構成してもよい。
【００８６】
［発明の実施の形態３］
図１０及び図１１に、この発明の実施の形態３を示す。
【００８７】
この実施の形態３の防護服１Ｃは、実施の形態１の防護服１Ａにおける聴取用ユニット２に代えて、図１０に示す、「耳元押圧部材」及び「防護服本体部維持部材」としての耳元押圧部材４１を備えている。
【００８８】
図１０に示す、この実施の形態３の耳元押圧部材４１は、例えばアクリル樹脂等、剛性の高い部材によって形成されている。図１０に示す通り、耳元押圧部材４１は、湾曲部４２を備えている。この湾曲部４２は、人間の耳介の根元の後側の形状に略沿った、略「Ｕ」の字型に湾曲形成されている。なお、この湾曲部４２は、少なくとも一部が人間の耳１０１の根元の後側の形状に略沿っていれば、どのような形状に形成されていてもよい。例えば、耳元押圧部材４１を環状に形成し、内周面全面を略円弧状に形成してもよい。フード１の内側には、実施の形態１における耳元用面ファスナ７が設けられていなくてもよい。その他の構成はこの実施の形態１と同じである。
【００８９】
この実施の形態３においては、装着者１００が防護服１Ｃのフード１を被った状態で、図１１に示すように、フード１の外側から、耳元押圧部材４１を耳１０１の後側に対応する位置に嵌合させて取り付ける。これにより、耳元押圧部材４１の湾曲部４２がフード１の外側から装着者１００の耳介の根元に対応する位置に係止されて、フード１の装着者１００の耳１０１に対応する部分は、装着者１００の耳１０１に当接又は近接した位置に配設されることになる。また、耳元押圧部材４１が取り付けられると、フード１が装着者１００の耳１０１の周囲に押し付けられるので、フード１の内部に伝達された騒音を装着者１００の耳１０１から遮蔽することができる。
【００９０】
以上、この実施の形態３においては、装着者１００がフード１を装着した後に、フード１の外側から耳元押圧部材４１の湾曲部４２を装着者１００の耳介の根元に対応する位置に係止させることで、フード１の装着者１００の耳１０１に対応する部分が装着者の耳１０１に当接又は近接した状態を容易に形成できる。
【００９１】
なお、この実施の形態３においては、防護服１Ｃに遮蔽部材を設けない構成としたが、遮蔽部材を設けた構成としてもよい。また、図１０及び図１１においては、装着者１００が実施の形態１における防護マスク４を装着しない構成としたが、防護マスク４を装着した構成としてもよい。
【００９２】
［発明の実施の形態４］
図１２乃至図１４に、この発明の実施の形態４を示す。
【００９３】
この実施の形態４の防護服１Ｄは、実施の形態１の防護服１Ａの構成に加え、図１２に示すように、フード５１に口元開口部５４が形成され、この口元開口部５４に口元膜部材ユニット５５が設けられている点が実施の形態１と相違する。
【００９４】
図１２に示す、この実施の形態４の防護服１Ｄのフード５１は、頭部略全面を被服体部５２が覆う点と、実施の形態１のフード１に設けられた前面開口部６（図１参照）が設けられていない点とが、実施の形態１のフード１と相違する。但し、実施の形態１のフード１と同様に、フード５１に前面開口部が設けられた構成であってもよい。
【００９５】
フード５１の前面の、装着者の両目に対応する部分には、透明な部材で形成されたフード窓部５３が設けられている。
【００９６】
前述した通り、フード５１の、装着者１００の口元に対応する部分には、口元開口部５４が開口形成されている。この口元開口部５４には、口元膜部材アダプタ部５６が嵌挿される。
【００９７】
図１２に示す口元膜部材ユニット５５は、口元膜部材アダプタ部５６と、「口元押圧部材」としての防護マスク５７とを備えている。
【００９８】
防護マスク５７は、マスク本体部５８の、装着者１００の両目に対応する部分に、実施の形態１の防護マスク４の窓部１９と同様の構成の窓部５９を備えている。
【００９９】
また、防護マスク５７は、装着者１００の口元に対応する部分に、例えば、図１３の（ａ）に例示する通り、略円筒形のアダプタ嵌合体６０ａと、アダプタ嵌合体６０ａに嵌合される略円筒形のアダプタ被嵌合体６１ａとを備えている。アダプタ嵌合体６０ａ及びアダプタ被嵌合体６１ａとは、剛性の高い材質、例えばポリプロピレン等によって形成されている。この場合、口元膜部材アダプタ部５６は、図1３の（ａ）に示すように、アダプタ嵌合体６０ａに形成された嵌合突部６２ａと、アダプタ被嵌合体６１ａに設けられた被嵌合凹部６３ａとが嵌合することで結合される。
【０１００】
また、口元膜部材アダプタ部５６は、例えば、図１３の（ｂ）に示す通り、略円筒形のアダプタ嵌合体６０ｂと、アダプタ嵌合体６０ｂに嵌合される略円筒形のアダプタ被嵌合体６１ｂとを備えている。アダプタ嵌合体６０ｂとアダプタ被嵌合体６１ｂとにはそれぞれねじ溝６２ｂ，６３ｂが刻設されており、このねじ溝６２ｂ，６３ｂ同士が螺合されることで結合される。なお、アダプタ嵌合体６０ａ，６０ｂとアダプタ被嵌合体６１ａ，６１ｂは、それぞれが嵌合する構成であればどのようなものでもよい。なお、以下は説明の簡単のため、アダプタ嵌合体６０ａ，６０ｂ及びアダプタ被嵌合体６１ａ，６１ｂは、アダプタ嵌合体６０、アダプタ被嵌合体６１と記載して説明する。
【０１０１】
口元膜部材アダプタ部５６のアダプタ嵌合体６０の外周部の大きさは、図１２に示す、口元開口部５４の大きさに略一致している。
【０１０２】
図１３に示す通り、口元膜部材アダプタ部５６を構成するアダプタ嵌合体６０の表面側には、円形の口元膜部材６４が取り付けられている。口元膜部材６４は、例えばフード５１と同様の軟質塩化ビニル、フッ素樹脂フィルム、ポリエチレン、ポリエチレンテレフタラート（ＰＥＴ）、ポリウレタン、ポリイミド、ポリアミド等に代表される樹脂製フィルム、ゴム膜等によって、薄膜状に形成されている。この実施の形態１において、口元膜部材６４の厚さはフード５１の厚さよりも小さく形成されている。具体的には、口元膜部材６４の膜厚は、０．０１ｍｍ〜０．１ｍｍ程度（例えばゴム膜の場合、０．０３ｍｍ〜０．１ｍｍ程度、樹脂フィルムの場合、０．０１ｍｍ〜０．０５ｍｍ程度（より好ましくは０．０１ｍｍ〜０．０３ｍｍ程度））が望ましい。但し、口元膜部材６４の膜厚は、装着者１００が発話音声を容易に伝達可能となるものであればどのような厚さに形成されていてもよい。また、口元膜部材６４の大きさ、形状、材質、厚さは、装着者１００がフード５１の外部の音を容易に聴取可能となるものであればどのようなものであってもよい。
【０１０３】
図１３に示す通り、口元膜部材アダプタ部５６の、口元膜部材６４の外側には、防護部材６５が配設されている。この防護部材６５は、複数の板状体が傾斜して並設され、各板状体の間には隙間が形成されており、音声の良好な伝達と口元膜部材６４の損傷防止とを図る。なお、防護部材６５は、音声の良好な伝達と口元膜部材６４の損傷防止とを図れるものであれば、どのような構成（例えば格子状に形成されたものや、多数の小さい孔部が形成されたもの等）であってもよい。また、口元膜部材アダプタ部５６に防護部材６５が設けられておらず、口元膜部材６４が外側に露出した構成であってもよい。
【０１０４】
口元膜部材アダプタ部５６は、防護マスク５７の嵌挿用開口部６６に対し着脱自在に構成されている。これにより、口元膜部材アダプタ部５６、特に口元膜部材６４のメンテナンスや交換作業を容易に行わせることができる。更に、口元膜部材アダプタ部５６をアダプタ嵌合体６０、アダプタ被嵌合体６１に分割できるようにすることで、そのメンテナンスや交換作業等を一層容易にし、利便性を高めることができる。
【０１０５】
また、図１４に示す通り、口元膜部材アダプタ部５６が嵌挿用開口部６６に嵌挿されて防護マスク５７に取り付けられた状態で、口元膜部材アダプタ部５６の一部は嵌挿用開口部６６から外側に突出した状態になっている。
【０１０６】
なお、この実施の形態４の口元膜部材アダプタ部５６はフード５１と着脱可能に形成されているが、口元膜部材アダプタ部５６をフード５１と一体に形成してもよい。
【０１０７】
図１４に示す通り、この実施の形態４においては、装着者１００は、実施の形態１の防護マスク４に代えて、防護マスク５７を装着する。この防護マスク５７は、マスク本体部５８の口元部分に嵌挿用開口部６６が形成され、この嵌挿用開口部６６に口元膜部材アダプタ部５６が取り付けられる構成になっている。また、防護マスク５７には、実施の形態１の防護マスク４における送気部２０（図１参照）が存在せず、送気装置３はフード１の内部に装着者１００が呼気するための空気を供給する。それ以外の構成は実施の形態１と同じである。なお、防護マスク５７には実施の形態１の防護マスク４における送気部２０と同様の構成が存在していてもよい。
【０１０８】
この実施の形態４においては、図１４に示す通り、装着者１００が防護服１Ｄを使用する際、防護マスク５７に口元膜部材アダプタ部５６を取り付けて頭部に装着させる。そして、装着者１００はフード５１を被り、口元開口部５４に口元膜部材アダプタ部５６を取り付ける。この状態で、防護マスク５７がゴムバンド（図示せず）によって、装着者１００の口の周囲を含む頭部に押圧されているため、口元膜部材アダプタ部５６の口元膜部材６４は装着者１００の口元に対応する部分に配設された状態となる。
【０１０９】
即ち、この実施の形態４においては、防護服１Ｄの使用時において、口元膜部材アダプタ部５６の口元膜部材６４が装着者１００の口に対応する部分に配設され、装着者の発話を一層明瞭に外部に伝達させることができる。
【０１１０】
なお、この実施の形態４においては、防護マスク５７のゴムバンド（図示せず）によって、「口元押圧部材」を装着者１００の口の周囲に押圧される構成としたが、これに限らず、例えば、フード５１の内側に防護マスク５７を取り付け、この防護マスク５７の自重により、防護マスク５７が装着者１００の口元に配設される構成としてもよい。
【０１１１】
また、この実施の形態４においては、装着者１００が防護マスク５７を装着する構成としたが、これに限定されず、例えば防護マスク５７に代えて、空気の清浄化機能を有しない伝達用カップ等を口元に配設した構成であってもよい。
【０１１２】
なお、上記各実施の形態においては、「防護服本体部」をフード１又はフード５１として形成したが、これに限定されず、少なくとも頭部を覆う構成であればどのようなものでもよい。例えば、装着者の頭部だけを覆うフード型呼吸保護具であってもよいし、装着者の頭部と上半身を覆う防護服であってもよいし、頭部及び身体全体を覆う防護服であってもよい。
【０１１３】
また、上記各実施の形態においては、防護服１Ａに送気装置３を設け、フード１の内部に清浄化した空気を送気させる構成としたが、これに代えて、フード１の内部又は外部に設けられた、空気ボンベ等の容器から、導管を介して防護マスク４のマスク本体部１７の内部に容器内の空気や酸素を供給させる呼吸器を有する構成であってもよい。また、防護服１Ａに送気装置３や呼吸器を設けない構成であってもよい。
上記各実施の形態は本発明の例示であり、本発明が上記各実施の形態のみに限定されることを意味するものではないことは、いうまでもない。
【０１１４】
［実施例１］
以下、この発明の実施例１を示す。
【０１１５】
この実施例１においては、この実施の形態１乃至４に係る防護服１Ａ，１Ｂ，１Ｃ，１Ｄと同様の構成の防護服における、音の伝達性能の測定を行った。測定は、人工頭の耳部分に、耳に対応する部分が開口して環状に形成されたイヤーマフ（以下単に「イヤーマフ」と称する）を配設し、このイヤーマフに、下記（本件実施例１−１），（本件実施例１−２），（比較例１）〜（比較例３）に示す、種々のフードの被服体に用いる素材を貼り付けたものについて行った。
・本件実施例１−１：素材＝高密度ポリエチレンの不織布、厚さ＝０．２０ｍｍ
・本件実施例１−２：素材＝フッ素樹脂シート（ポリテトラフルオロエチレン製のシート）、厚さ＝０．０４ｍｍ
・比較例１：素材＝塩化ビニール、厚さ＝０．４０ｍｍ
・比較例２：素材＝フッ素樹脂シート（ポリテトラフルオロエチレン製のシート）、厚さ＝０．０９ｍｍ
・比較例３：素材＝フッ素樹脂シート（ポリテトラフルオロエチレン製シート）、厚さ＝０．２０ｍｍ
【０１１６】
本件実施例において、人工頭から約２ｍ離れたスピーカからピンクノイズを発生させ、開口部を持ったイヤーマフ内設定音が約７０ｄＢ、８０ｄＢ、９０ｄＢになるように調整し、イヤーマフ内の音圧の変化を調査した。
【０１１７】
本件各実施例及び比較例においては、設定音に対する音圧差が６ｄＢ以内であれば、良好な結果（即ち、装着者１００が外部の音を良好に聴取できる状態）であるとし、一方、音圧差が６ｄＢより大きい場合には、悪い結果として判断を行った。
【０１１８】
＜表１＞にその結果を示す。
【表１】
2014043652.tif 000003
【０１１９】
＜表１＞に示す通り、本件実施例１は全ての場合が良好な結果であり、本件実施例２は概ね良好な結果であった。一方、比較例１〜比較例３は、いずれの場合も悪い結果であった。これにより、被服体部が高密度ポリエチレンの不織布によって形成される場合は、厚さが０．２０ｍｍ未満であるときに、防護服を装着した装着者が外部の音声を明瞭に聴取できることが確認された。また、被服体部がポリテトラフルオロエチレンによって形成される場合は、厚さが０．０４ｍｍ以下であるときに、防護服を装着した装着者が外部の音声を明瞭に聴取できることが確認された。
【０１２０】
［実施例２］
以下、この発明の実施例２を示す。
【０１２１】
この実施例２においては、この実施の形態１に係る防護服１Ａと同様の構成の防護服における、フードと耳の距離の相違による聴取状態の差異について測定を行った。
【０１２２】
実施例２においては、被験者が実施の形態１と同様のフード（ただし、実施の形態１等における「遮蔽部材」に対応する構成は存在しない）を被り、被験者から約２ｍ離れたスピーカでピンクノイズを発生させ、フード内部の設定音が約７５ｄＢになるように調整し、フード内で送気装置を作動させない場合と、作動させた場合のイヤーマフ内の音圧の変化を調査した。送気装置３を作動させた場合のイヤーマフ内の暗騒音は７５ｄＢ、作動させない場合の暗騒音は５０ｄＢであった。
【０１２３】
実施例２においては、被験者の耳の先端と被服体部との距離が０ｍｍ、３ｍｍ、５ｍｍ、７ｍｍ、９mmの場合について、被験者がスピーカから発せられた音を聞き取れるか否か、主観評価による測定を行った。
【０１２４】
＜表２＞にその結果を示す。
【表２】
2014043652.tif 000004
【０１２５】
＜表２＞に示す通り、送気装置を作動させた場合、耳の先端から被服体部までの距離が５ｍｍ以内のときは良好な結果であり、７ｍｍ以上だと悪い結果となる。一方、送気装置を作動させない場合、耳の先端から被服体部までの距離に関わらず、良好な結果である。
【０１２６】
これにより、装着者の耳の先端から被服体部までの距離が５ｍｍ以内であれば、送気装置の作動の如何にかかわらず、装着者は外部の音を良好に聴取できることが確認された。
【０１２７】
［実施例３］
以下、この発明の実施例３を示す。
【０１２８】
この実施例３においては、本件実施例として、実施の形態１と同様の材質で、同様の厚さに形成された被服体部を有する（ただし、実施の形態１等における「遮蔽部材」に対応する構成は存在しない）防護服を人工頭に被せたものにおいて、フード内部で送気装置を作動させて雑音がフードの内部に伝達する状態とした場合と、電動ファン付呼吸用保護具を作動させてフードの内部に雑音が伝達する状態とした場合とにおける音圧の変化を測定した。一方、比較例として、人工頭に、本明細書の「背景技術」で提示したものと同様の防護服（従来と同様の材質と厚さ（例えば［実施例１］の比較例１に示すもの）の被服体部を有する防護服であって、耳に対応する部分の周囲に遮蔽部材を設けていないもの）を被せ、同様の測定を行った。  
【０１２９】
＜表３＞にその結果を示す。
【表３】
2014043652.tif 000005
【０１３０】
＜表３＞に示す通り、比較例に比べ、本件実施例の方が、雑音の音圧が、送気装置の場合は４．７ｄＢ、電動ファン付呼吸用保護具の場合は１３．４ｄＢ低下している。これにより、本件実施例の構成は、耳部分における雑音を低減させられることが確認された。
【０１３１】
［実施例４］
以下、この発明の実施例４を示す。
【０１３２】
この実施例４においては、本件実施例として、［実施例３］の本件実施例の説明において記載した防護服を被験者が装着し、防護服の外部で発声された発話音声の聞き取り測定を行った。具体的には、騒音計を被験者の耳近傍に配置した後に補正用音源を再生して発声音圧を一定の音圧（ここでは６０ｄＢ）に近づくように調節する。防護服の内部では送気装置を作動させ、騒音がフードの内部に伝達する状態とする。防護服を装着した被験者はスピーカから流れる２音節の単語を５０題聞き取り、正答数を測定した。被験者は、防護服の内部でろ過式マスク（送気機能を持たない防護マスクのこと）を装着した状態と、防護服の内部で電動ファン付呼吸用保護具を装着した状態とのそれぞれについて測定を行った。一方、比較例として、［実施例３］の説明において記載した比較例にて用いた防護服を被験者が装着し、同様の条件で、同様の測定を行った。
【０１３３】
＜表４＞にその結果を示す。
【表４】
2014043652.tif 000006
＜表４＞に示す通り、本件実施例においては、防護服を装着した状態で外部の発話音声を明瞭に聴取できることが確認された。
【符号の説明】
【０１３４】
１Ａ，１Ｂ，１Ｃ，１Ｄ・・・防護服
１，５１・・・フード（防護服本体部）
２，３１・・・聴取用ユニット（防護服本体部維持部材）
３，２０・・・送気装置
４・・・防護マスク
９・・・耳元押圧部材
１０，３３・・・遮蔽部材
１８・・・ゴムバンド（耳元押圧部材）
３２・・・板状部材
４１・・・耳元押圧部材（耳元押圧部材、防護服本体部維持部材）
４２・・・湾曲部
５４・・・口元膜部材
５５・・・防護マスク（口元押圧部材）
１００・・・装着者
１０１・・・耳
【図１】
2014043652.tif 000007
【図２】
2014043652.tif 000008
【図３】
2014043652.tif 000009
【図４】
2014043652.tif 000010
【図５】
2014043652.tif 000011
【図６】
2014043652.tif 000012
【図７】
2014043652.tif 000013
【図８】
2014043652.tif 000014
【図９】
2014043652.tif 000015
【図１０】
2014043652.tif 000016
【図１１】
2014043652.tif 000017
【図１２】
2014043652.tif 000018
【図１３】
2014043652.tif 000019
【図１４】
2014043652.tif 000020